(57)【要約】【課題】  口紅などの棒状化粧料が外力を受けることにより折れたり、曲がったりすることを防止できる繰り出し容器を提供すること。【解決手段】  容器本体と、容器本体に装着するキャップとを備える繰り出し容器であって、容器本体は、棒状化粧料を収納する中皿体と、中皿体を回転不能かつ上下動可能に収容する内筒体と、内筒体の外周で回動することにより、中皿体を上下動する外筒体とを備え、内筒体は、少なくとも上端部から軸線方向上方に延びる弾性部材を有し、中皿体は、付勢部材によって軸線方向に変形可能とすることを特徴とする。【選択図】  図１
2019080843.tif 000002
【特許請求の範囲】
【請求項１】
容器本体と、容器本体に装着するキャップとを備える繰り出し容器であって、
容器本体は、棒状化粧料を収納する中皿体と、中皿体を回転不能かつ上下動可能に収容する内筒体と、内筒体の外周で回動することにより、中皿体を上下動する外筒体とを備え、
内筒体は、少なくとも上端部から軸線方向上方に延びる弾性部材を有し、
中皿体は、付勢部材によって軸線方向に変形可能とすることを特徴とする繰り出し容器。
【請求項２】
弾性部材は、内筒体上部の内周面または外周面を被覆することを特徴とする請求項１に記載の繰り出し容器。
【請求項３】
弾性部材は、内筒体先端部から外方に拡径する先端開口部を有することを特徴とする請求項１または２に記載の繰り出し容器。
【請求項４】
中皿体は、外筒体の回動により内筒体内を上下動する中皿支持部と、棒状化粧料を収納し、中皿支持部に対して軸線方向に移動可能な中皿部と、中皿支持部と中皿部とを軸線方向に所定間隔を保持する付勢部材とを有することを特徴とする請求項１〜３のいずれかに記載の繰り出し容器。
【請求項５】
付勢部材は、中皿部または中皿支持部の一方と一体に形成する樹脂スプリングであることを特徴とする請求項４に記載の繰り出し容器。
【請求項６】
付勢部材は、別体のコイルスプリングであることを特徴とする請求項４に記載の繰り出し容器。
【発明の詳細な説明】
【技術分野】
【０００１】
本発明は、繰り出し容器に関し、とくに、口紅などの棒状化粧料を収納する繰り出し容器に関するものである。
【背景技術】
【０００２】
口紅、リップグロス、スティックアイシャドーなどの棒状化粧料を収納する円筒状の容器として、容器本体と、容器本体に装着するキャップとを備え、容器本体は、棒状化粧料を収納する中皿体と、中皿体を回転不能かつ上下動可能に収容する内筒体と、内筒体の外周で回動することにより、中皿体を上下動する外筒体とを備え、キャップを外した後、内筒体を把持し、外筒体を回動させることにより、内筒体から棒状化粧料を中皿体の上下動により出没させて使用する繰り出し容器は、従来から知られている（例えば、特許文献１参照）。
【０００３】
また、化粧品（棒状化粧料）を必要以上に繰り出してしまうことによる化粧品折損等の事故を防止するために、カバー（キャップ）を外すと、化粧品受皿（中皿体）と螺筒の螺合体がばねにより上方に規定量押し上げられるようにして、化粧品の繰り出し量を適正量に定めることができ、また少量繰出し操作部材を付設したことにより、化粧品が消耗したときは、この操作部材の螺進操作により簡単にその消耗分が補充できる繰り出し容器も、従来から知られている（例えば、特許文献２参照）。
【先行技術文献】
【特許文献】
【０００４】
【特許文献１】特開２００４−３４３号公報
【特許文献２】実公昭６４−８３８号公報
【発明の概要】
【発明が解決しようとする課題】
【０００５】
最近は、口紅などの棒状化粧料は、比較的柔らかなものが多くなってきており、使用中の他、キャップを装着した状態での落下や衝撃によって、折れたり、曲がったりする可能性が高くなっている。
このため、上記特許文献１記載の繰り出し容器では、キャップを外して使用中に、棒状化粧料に外力が作用して、折れたり、曲がったりするという問題があった。
また、上記特許文献２記載の繰り出し容器では、当初の化粧品の最大繰り出し量を化粧するには充分であるが、それ以上不必要に繰り出し過ぎないようにして、化粧品折損等の事故を防止できるが、化粧品に外力が作用した場合の対策は施されておらず、上記特許文献１と同様の問題があった。
【０００６】
本発明は、上記問題を解決することを課題とし、口紅などの棒状化粧料が外力を受けることにより折れたり、曲がったりすることを防止できる繰り出し容器を提供することを目的とする。
【課題を解決するための手段】
【０００７】
本発明は、上記の課題を解決するため、繰り出し容器として、容器本体と、容器本体に装着するキャップとを備える繰り出し容器であって、容器本体は、棒状化粧料を収納する中皿体と、中皿体を回転不能かつ上下動可能に収容する内筒体と、内筒体の外周で回動することにより、中皿体を上下動する外筒体とを備え、内筒体は、少なくとも上端部から軸線方向上方に延びる弾性部材を有し、中皿体は、付勢部材によって軸線方向に変形可能とすることを特徴とする構成を採用する。
【０００８】
本発明の繰り出し容器の弾性部材の実施形態として、弾性部材は、内筒体上部の内周面または外周面を被覆することを特徴とする構成、さらに、弾性部材は、内筒体先端部から外方に拡径する先端開口部を有することを特徴とする構成を採用する。
また、繰り出し容器の中皿体の実施形態として、中皿体は、外筒体の回動により内筒体内を上下動する中皿支持部と、棒状化粧料を収納し、中皿支持部に対して軸線方向に移動可能な中皿部と、中皿支持部と中皿部とを軸線方向に所定間隔を保持する付勢部材とを有することを特徴とする構成、さらに、付勢部材は、中皿部または中皿支持部の一方と一体に形成する樹脂スプリングであることを特徴とする構成、または、付勢部材は、別体のコイルスプリングであることを特徴とする構成を採用する。
【発明の効果】
【０００９】
本発明の繰り出し容器は、棒状化粧料を収納する中皿体と、中皿体を回転不能かつ上下動可能に収容する内筒体と、内筒体の外周で回動することにより、中皿体を上下動する外筒体とを備え、内筒体は、少なくとも上端部から軸線方向に延びる弾性部材を有し、中皿体は、付勢部材によって軸線方向に圧縮変形可能とすることにより、棒状化粧料が軸線方向の力や軸線と直交する方向の力を受けた際に、弾性部材による変形の抑制や付勢部材による衝撃を緩和することで、棒状化粧料が外力を受け、折れたり、曲がったりすることを防止できる。
【図面の簡単な説明】
【００１０】
【図１】本発明の第１実施例の繰り出し容器の側面断面図である。
【図２】第１実施例の容器筒体の説明図で、（ａ）は内筒体の側面半断面図、（ｂ）は外筒体の側面断面図である。
【図３】第１実施例の中皿体の説明図で、（ａ）は中皿部の側面半断面図、（ｂ）は中皿支持部の側面半断面図である。
【図４】第１実施例の繰り出し容器において、棒状化粧料を繰り出す時の説明図である。
【図５】第１実施例の繰り出し容器において、棒状化粧料に軸線方向の力が作用した時の説明図である。
【図６】第１実施例の繰り出し容器において、棒状化粧料に軸線と直交する方向の力が作用した時の説明図である。
【図７】本発明の第２実施例の繰り出し容器の側面断面図である。
【図８】第２実施例の繰り出し容器において、棒状化粧料を繰り出す時の説明図である。
【図９】第２実施例の繰り出し容器において、棒状化粧料に軸線方向の力が作用した時の説明図である。
【図１０】第２実施例の繰り出し容器において、棒状化粧料に軸線と直交する方向の力が作用した時の説明図である。
【発明を実施するための形態】
【００１１】
次に、本発明の繰り出し容器について、実施例を示した図面を参照して説明する。
なお、以下の説明において、図１でみて、上下方向を「軸線方向」とし、上方向を「上」とし、下方向を「下」とする。
【実施例１】
【００１２】
図１において、Ａは口紅などの棒状化粧料を収納する容器本体、Ｅは容器本体Ａの上部を覆うように、着脱自在に装着されるキャップである。
容器本体Ａは、円筒状の内筒体Ｃと、棒状化粧料ｋを収納し、内筒体Ｃ内に回転不能かつ上下動可能に収容する中皿体Ｄと、内筒体Ｃに外挿され、回動することにより中皿体Ｄを上下動させる外筒体Ｂとを備える。
【００１３】
図２（ｂ）に示すように、外筒体Ｂは、有底の外装筒体Ｂ１と、外装筒体Ｂ１の内周に嵌挿する螺筒体Ｂ２と、外装筒体Ｂ１の上部に嵌着する装着筒体Ｂ３とを備える。
外装筒体Ｂ１は、円筒状の外周壁１と、外周壁１の下端部から内方に形成され、中心部が開口するリング状の底壁２とを有し、底壁２は、シール材（図示せず）を貼るなどして封鎖してもよい。
【００１４】
螺筒体Ｂ２は、外装筒体Ｂ１の内周面に回動不能に嵌挿する本体部５と、本体部５の内周面に形成する２条の螺旋溝６と、本体部５の外周上部に形成し、装着筒体Ｂ３を嵌挿する挿入凹部７とを有する。
【００１５】
装着筒体Ｂ３は、外装筒体Ｂ１の外周壁１の内周上部と螺筒体Ｂ２の挿入凹部７との間隙に回動不能に嵌挿する差し込み筒１１と、ほぼ中間部に外方に突出する段部１２と、段部１２より上部がキャップＥの内周下部と着脱するキャップ装着部１３と、キャップ装着部１３の上端部から縮径する環状突条１４とを有し、キャップ装着部１３は、外周面に複数個の押圧凸部（図示せず）を形成することにより、キャップＥが回動変位不能に装着される。
装着筒体Ｂ３の内側には、シール筒体１７を回動不能に取り付け、シール筒体１７は、弾性材料からなり、上端内周面が内筒体Ｃの外周面に気密で、かつ摺動可能に接触している。
【００１６】
図２（ａ）に示すように、内筒体Ｃは、中間部の係止突部２４によって螺筒体Ｂ２の内側に抜け止めされた状態で、螺筒体Ｂ２に対して回動自在に設けている。
内筒体Ｃは、中間部の係止突部２４と、係止突部２４より上部に位置する収納筒部２１と、係止突部２４より下部に位置するガイド筒部２２とを備え、ガイド筒部２２は、軸線方向に延び、対向する２本のスリット部２３を形成し、係止突部２４は、周方向に４個の係止窓部２５を形成している。
【００１７】
内筒体Ｃには、収納筒部２１の内周面を被覆するように、筒状の弾性部材２７を装着している。
弾性部材２７は、下端部が係合凸部２８によって係止窓部２５に嵌入して固定され、先端部には、外方に拡径する先端開口部２９を形成している。
なお、本実施例では、弾性部材２７は、収納筒部２１の内側に装着するようにしているが、収納筒部２１の外側に装着するようにしても構わない。
【００１８】
図１に示すように、中皿体Ｄは、上方に位置し、棒状化粧料ｋを収納する中皿部Ｄ１と、中皿部Ｄ１の下方に位置し、中皿部Ｄ１と軸線方向に所定間隔を保持する中皿支持部Ｄ２とを備える。
図３（ａ）に示すように、中皿部Ｄ１は、内筒体Ｃの弾性部材２７の内周面に摺接する円筒状の皿側壁３１と、皿側壁３１の下端部から内方に形成され、中心部が開口するリング状の皿底壁３２と、皿側壁３１の下端部から垂設され、皿側壁３１の外径よりもやや小さい外径の脚筒３３とを有する。
【００１９】
皿側壁３１は、棒状化粧料ｋの下部を中皿部Ｄ１に保持するために、内周面から径方向に突設するとともに、軸線方向に延びる４本の収納リブ３４を形成しており、収納リブ３４の本数は、４本に限らず、必要に応じて変更可能である。
脚筒３３は、内周下部に中皿支持部Ｄ２と係合するための内周凸条３５を形成し、下端面３６には、付勢部材として、螺旋状の樹脂スプリング３７を一体に形成している。
なお、本実施例では、樹脂スプリング３７は、中皿部Ｄ１と一体に形成しているが、中皿支持部Ｄ２と一体に形成していても構わない。要するに、樹脂スプリング３７は、中皿部Ｄ１または中皿支持部Ｄ２の一方と一体に形成してあればよい。
【００２０】
図３（ｂ）に示すように、中皿支持部Ｄ２は、内筒体Ｃのガイド筒部２２の内周面に外周面が摺接する案内筒壁４１と、案内筒壁４１の上端部から内方に形成し、樹脂スプリング３７の下端部が当接するリング状のフランジ壁４２と、フランジ壁４２の内縁と連設して軸線方向に延びる支持筒壁４３とを有する。
支持筒壁４３は、外周上部に中皿部Ｄ１の内周凸条３５と係合するための外周凸条４４と、下端部から内方に延設され、中心部が開口するリング状の内底壁４５とを有している。
案内筒壁４１は、外周下部に、内筒体Ｃのスリット部２３を貫通して螺筒体Ｂ２の螺旋溝６に嵌入する２個の螺合ピン４６を設けている。
【００２１】
図１に示すように、キャップＥは、円板状の頂壁４８と、頂壁４８の外縁から垂設されるとともに、外径が外装筒体Ｂ１の外周壁１の外径とほぼ等しい円筒状の側周壁４９とを備え、側周壁４９は、内周が装着筒体Ｂ３のキャップ装着部１３の外周に嵌合する径で形成されている。
【００２２】
次に、本実施例の使用態様と作用効果について図面を参照しながら説明する。
まず、棒状化粧料ｋを使用する際には、図４に示すように、キャップＥを容器本体Ａから外した後、内筒体Ｃの収納筒部２１を手指等で把持して固定し、外装筒体Ｂ１を内筒体Ｃに対して矢印方向に回動すると、外装筒体Ｂ１と一体に回動する螺筒体Ｂ２が回動する。
すると、中皿体Ｄは、螺筒体Ｂ２の螺旋溝６に係合する中皿支持部Ｄ２の螺合ピン４６が、ガイド筒部２２内をスリット部２３に沿って上昇することにより、棒状化粧料ｋは、内筒体Ｃに装着された弾性部材２７の先端開口部２９から突出し、使用することができる。
【００２３】
図５に示すように、本実施例の繰り出し容器では、棒状化粧料ｋを内筒体Ｃから繰り出して使用中に、樹脂スプリング３７のセット荷重を超える軸線方向の力ｆ１が棒状化粧料ｋの上部に作用した場合、中皿部Ｄ１の樹脂スプリング３７が圧縮変形することにより、棒状化粧料ｋを収納する中皿部Ｄ１は、中皿支持部Ｄ２に対して軸線方向に移動し、軸線方向の力ｆ１を吸収して棒状化粧料ｋが押し潰されて変形するのを抑えることができる。また、樹脂スプリング３７の変形後、荷重がなくなると、棒状化粧料ｋは、元の繰り出し位置に戻るようになっている。
【００２４】
また、図６に示すように、本実施例の繰り出し容器では、棒状化粧料ｋを使用中に、軸線と直交する方向の力ｆ２が棒状化粧料ｋの上部に作用した場合、内筒体Ｃの収納筒部２１の内周に装着された弾性部材２７の先端開口部２９が弾性変形することにより、棒状化粧料ｋの上部に作用する力を柔軟に受け止めて元の状態に戻すことができ、棒状化粧料ｋが折れたり、曲がったりするのを抑えることができる。
【００２５】
棒状化粧料ｋを使用後、棒状化粧料ｋを内筒体Ｃの収納筒部２１内に戻すために、外装筒体Ｂ１を内筒体Ｃに対して矢印方向と反対に回動し、棒状化粧料ｋを収納筒部２１内に戻した後、キャップＥを容器本体Ａに装着し、閉蓋することにより、容器本体Ａ内が密封されるので、棒状化粧料ｋの乾燥などを防ぎ、繰り返しキャップを着脱して使用することができる。
【実施例２】
【００２６】
次に、繰り出し容器の中皿体Ｄを変更した第２実施例について、図７〜１０を参照して説明する。
本実施例では、中皿部Ｄ１と一体の樹脂スプリング３７の代わりに、別体のコイルスプリング５０を有する。
以下、第１実施例と同一の構成部分には同一の符号を付し、相違点を中心に説明する。
【００２７】
図７〜９において、容器本体Ａは、外筒体Ｂについては第１実施例と同じであるので説明を省略し、中皿体Ｄの新たな符号が付される中皿部Ｄ３における変更部分を中心に説明する。
図７に示すように、中皿体Ｄは、上方に位置し、棒状化粧料ｍを収納する中皿部Ｄ３と、中皿部Ｄ３の下方に位置し、中皿部Ｄ３と軸線方向に所定距離を保持する中皿支持部Ｄ２とを備える。
【００２８】
中皿部Ｄ３は、内筒体Ｃの弾性部材２７の内周面に摺接する円筒状の皿側壁５１と、皿側壁５１の下端部から内方に形成され、中心部が開口するリング状の皿底壁５２と、皿側壁５１の下端部から垂設され、皿側壁５１の外径よりもやや小さい外径の脚筒５３とを有する。
皿側壁５１は、棒状化粧料ｍの下部を中皿部Ｄ３に保持するために、内周面から径方向に突設するとともに、軸線方向に延びる４本の収納リブ５４を形成しており、脚筒５３は、内周下部に中皿支持部Ｄ２と係合するための内周凸条５５を形成している。
【００２９】
中皿支持部Ｄ２は、内筒体Ｃのガイド筒部２２の内周面に外周面が摺接する案内筒壁４１と、案内筒壁４１の上端部から内方に形成するリング状のフランジ壁４２と、フランジ壁４２の内縁と連設して軸線方向に延びる支持筒壁４３とを有する。
支持筒壁４３は、外周上部に中皿部Ｄ３の内周凸条５５と係合するための外周凸条４４と、下端部から内方に延設され、中心部が開口するリング状の内底壁４５とを有している。
【００３０】
中皿部Ｄ３の皿底壁５２と中皿支持部Ｄ２の内底壁４５との間には、付勢部材として、螺旋状のコイルスプリング５０を設ける。
【００３１】
次に、本実施例の使用態様と作用効果について図面を参照しながら説明する。
まず、棒状化粧料ｍを使用する際には、図８に示すように、キャップＥを容器本体Ａから外した後、内筒体Ｃの収納筒部２１を手指等で把持して固定し、外装筒体Ｂ１を内筒体Ｃに対して矢印方向に回動すると、外装筒体Ｂ１と一体に回動する螺筒体Ｂ２が回動する。
すると、中皿体Ｄは、螺筒体Ｂ２の螺旋溝６に係合する中皿支持部Ｄ２の螺合ピン４６が、ガイド筒部２２内をスリット部２３に沿って上昇することにより、棒状化粧料ｍは、内筒体Ｃに装着された弾性部材２７の先端開口部２９から突出し、使用することができる。
【００３２】
図９に示すように、本実施例の繰り出し容器では、棒状化粧料ｍを内筒体Ｃから繰り出して使用中に、コイルスプリング５０のセット荷重を超える軸線方向の力ｆ１が棒状化粧料ｍの上部に作用した場合、中皿部Ｄ３と中皿支持部Ｄ２との間に配設したコイルスプリング５０が圧縮変形することにより、棒状化粧料ｍを収納する中皿部Ｄ３は、中皿支持部Ｄ２に対して軸線方向に移動し、軸線方向の力ｆ１を吸収して棒状化粧料ｍが押し潰されて変形するのを抑えることができる。また、コイルスプリング５０の変形後、荷重がなくなると、棒状化粧料ｍは、元の繰り出し位置に戻るようになっている。
【００３３】
また、図１０に示すように、本実施例の繰り出し容器では、棒状化粧料ｍを使用中に、軸線と直交する方向の力ｆ２が棒状化粧料ｍの上部に作用した場合、内筒体Ｃの収納筒部２１の内周に装着された弾性部材２７の先端開口部２９が弾性変形することにより、棒状化粧料ｍの上部に作用する力を柔軟に受け止めて元の状態に戻すことができ、棒状化粧料ｍが折れたり、曲がったりするのを抑えることができる。
【産業上の利用可能性】
【００３４】
本発明の繰り出し容器は、棒状化粧料の使用中に、軸線方向の力や軸線と直交する方向の力が棒状化粧料の上部に作用した場合、棒状化粧料に作用する力を抑制することができるので、棒状化粧料が折れたり、曲がったりすることがない繰り出し容器として好適に利用できる。
【符号の説明】
【００３５】
Ａ              容器本体
Ｂ              外筒体
Ｂ１            外装筒体
Ｂ２            螺筒体
Ｂ３            装着筒体
Ｃ              内筒体
Ｄ              中皿体
Ｄ１、Ｄ３      中皿部
Ｄ２            中皿支持部
Ｅ              キャップ
ｆ１            軸線方向の力
ｆ２            軸線と直交する方向の力
ｋ、ｍ          棒状化粧料
１              外周壁
２              底壁
５              本体部
６              螺旋溝
７              挿入凹部
１１              差し込み筒
１２              段部
１３              キャップ装着部
１４              環状突条
１７              シール筒体
２１              収納筒部
２２              ガイド筒部
２３              スリット部
２４              係止突部
２５              係止窓部
２７              弾性部材
２８              係合凸部
２９              先端開口部
３１、５１        皿側壁
３２、５２        皿底壁
３３、５３        脚筒
３４、５４        収納リブ
３５、５５        内周凸条
３６              下端面
３７              樹脂スプリング（付勢部材）
４１              案内筒壁
４２              フランジ壁
４３              支持筒壁
４４              外周凸条
４５              内底壁
４６              螺合ピン
４８              頂壁
４９              側周壁
５０              コイルスプリング（付勢部材）
【図１】
2019080843.tif 000003
【図２】
2019080843.tif 000004
【図３】
2019080843.tif 000005
【図４】
2019080843.tif 000006
【図５】
2019080843.tif 000007
【図６】
2019080843.tif 000008
【図７】
2019080843.tif 000009
【図８】
2019080843.tif 000010
【図９】
2019080843.tif 000011
【図１０】
2019080843.tif 000012